(57)【要約】      （修正有）【課題】電力を必要とせず，騒音が無く，可搬性の良い，安全な空圧工具動力源を提供する。【解決手段】炭酸ガス等の不燃性ガスを空圧工具１０を作動させるために充分な容量となり得る圧力の不燃性ガスを封入させた高圧ガス保安法適用外の小型圧力容器１を用い，空圧工具を作動させる常用圧力帯に減圧させた後に空圧工具に接続し使用するものである。【選択図】図１
2007075984.tif 000002
【特許請求の範囲】
【請求項１】
容量１００ｍｌ未満，且つ内部圧力１ＭＰａ以上５ＭＰａ未満の不燃性ガスを封入させた圧力容器と減圧装置を接合可能としたことを特徴とする空圧工具動力源。
【請求項２】
請求項１に記載の空圧工具動力源において，圧力容器を確実に減圧装置へ接合させた状態で，圧力容器を全方向からの衝撃から守るため圧力容器外部に保護容器を取り付けたことを特徴とする空圧工具動力源。
【請求項３】
請求項１に記載の空圧工具動力源において，使用中に意図的に圧力容器が外されたとき請求項２に記載の保護容器内で封入された不燃性圧縮ガスが開放される構造を持つことを特徴とする空圧工具動力源。
【請求項４】
請求項１に記載の空圧工具用動力源において，圧力容器を使用しない状態でも請求項２に記載の保護容器内で圧力容器を保管できることを特徴とする空圧工具動力源。
【請求項５】
請求項２に記載の空圧工具動力源において，保護容器外部より保護容器内の圧力容器の有無が確認できることを特徴とする空圧工具動力源。
【請求項６】
請求項１または請求項２に記載の空圧工具用動力源を２個以上用いて，それぞれを減圧装置にて１Ｍｐａ以下に減圧した後，空気ホースへ安定した供給を行なうべく同一の伝達管に接続させたことを特徴とする空圧工具動力源。
【発明の詳細な説明】
【発明の詳細な説明】
【技術分野】この発明は主に住宅の維持修繕作業や内外装工事等で使用される空圧工具の動力源として利用することができる。
【背景技術】
【００１】従来住宅の維持修繕作業や内外装工事等に用いられている空圧工具は単体では作動させることができず作動させるためには空気圧縮機から空気ホースを介して圧縮空気を空圧工具本体内部へ取り入れなければならない。【００２】そのため建築現場へ空気圧縮機を持ち込まねば空圧工具を使用することはできない。【００３】空気圧縮機を用いずに緊結金具を打ち込む機器は既に実施例があるが，内燃機関であるため使用時に一酸化炭素を排出するため住宅の維持修繕作業においては危険極まりない。【００４】また空気圧縮機を運転させるには相当量の電力を必要とし，また運転時に騒音が発生する。【００５】新築現場においては生活者がいないため問題は近隣に対するもののみとなるため被害が少ないが維持修繕作業においては空圧工具の使用量が少ないにも拘らず空圧工具使用時の騒音と共に空気圧縮機運転時の騒音は生活者に対して非常に不快なものである。
【発明が解決しようとする課題】
【００６】当発明は従来の空圧工具を駆動させるために，電力を必要とせず騒音が無く可搬性の良い安全な空圧工具動力源を提供する。
【課題を解決するための手段】
【００７】炭酸ガス等の不燃性ガスを，空圧工具を作動させるのに充分な容量となり得る圧力にて封入させた高圧ガス保安法適用外の小型圧力容器を用い，空圧工具を作動させる常用圧力帯まで減圧させた後に空圧工具に接続し使用する。
【発明を実施するための最良の形態】
【００８】以下に実施例を示す。１．圧力容器は，上部および下部の２部品にて構成されている圧力容器カバー内に取り付けて使用される。【００９】２Ａ．圧力容器アッパーカバーと２Ｂ．圧力容器ロアカバーの接続方案は複数例想定される。【０１０】３Ａ．誤接続防止ダイヤル付の圧力容器カバーへ１．圧力容器を取り付ける時は，２Ａ．圧力容器アッパーカバー内に１．圧力容器を挿入した後，３Ａ誤接続防止ダイヤルを接続方向と反対側へ回転させきった状態で２Ｂ．圧力容器ロアカバーを２Ａ．圧力容器アッパーカバーにねじ込んでいくことで，１．圧力容器内に封入された不燃性ガスが開放され減圧弁へと流れ込んでいき，常用圧力へ減圧された後に逆止弁から伝達管を抜け，最終的な使用圧力にまで減圧され空気ホース，空圧工具へと流れていく。【０１１】図面においては４．減圧弁および５．逆止弁と分離されて記述されているが，実作業においては準備時に誤って接続してしまい内部のガスを流出させてしまう恐れがあるため，３Ａ．誤接続防止ダイヤルを装備している。【０１２】空圧工具を用いる作業においてどれだけの圧力容器を必要とするかが不明瞭な場合，作業者は３Ａ．誤接続防止ダイヤルを接続方向へ回転させ中央付近の接続不可にある状態で２Ｂ．圧力容器ロアカバーを２Ａ．圧力容器アッパーカバーへねじ込み圧力容器カバーを固定する。【０１３】この状態では１．圧力容器から減圧弁に向けて不燃性ガスが噴射されない状態となるので予備として未使用状態のまま取り付け，及び移動できる。【０１４】空圧工具を使用する時，３Ａ．誤接続防止ダイヤルを接続方向の反対側へ回転させ切ってから再度２Ｂ．圧力容器ロアカバーをねじ込むと，内部の圧力容器が２Ａ．圧力容器アッパーカバー内部へと確実にねじ込まれる。【０１５】図面では他の接続実施例を示しており，３Ｂ．接続ガイドピンおよび３Ｃ．接続誘導溝を有する型である。【０１６】この場合も前述の実施例に同じく１．圧力容器を未使用状態で圧力容器カバー内に取り付けることが可能である。【０１７】この場合作業者は，２Ｂ．圧力容器ロアカバー上にある３Ｂ．接続ガイドピンを２Ａ．圧力容器アッパーカバーにある３Ｃ．接続誘導溝に合わせ，接続方向に押し込む。【０１８】その後３Ｃ．接続誘導溝に従って異なる方向へ３Ｂ．接続ガイドピンを進めていく。【０１９】その状態では前述の実施例に同じく１．圧力容器から減圧弁に向けて不燃性ガスが噴射されない状態となる。【０２０】予備として未使用状態のまま取り付け，及び移動できる。使用する場合は再度３Ｃ．接続誘導溝に従い最後まで押し込むことで使用可能な状態となる。
【発明の効果】
【０２１】当発明によれば，電力を使用せず，また空気圧縮機のように現場で空気充填させる必要が無いため空圧工具の使用をはじめる直前に極めて短い時間で準備ができる。
【０２２】作業者は，予め炭酸ガス等の不燃性ガスを充填された小型圧力容器を作業者の必要な本数だけ減圧弁経由で伝達管へ接続させるという簡単な準備を行なうに過ぎない。
【０２３】作業者は当発明を従来空気圧縮機と同様に床面へ置き空気ホースにて空圧工具へ空気を導入させる。
【０２４】小型圧力容器と一体になった伝達管を衣服やベルト等に装着させて空気ホースにより空圧工具へ導入させて利用することもできる。
【０２５】前者によれば使用時には当該動力源は騒音を発することが無いため，維持修繕作業現場や近隣生活者がいる場合にも有効である。
【０２６】更に後者によれば非常に短い空気ホースで空圧工具へ圧縮空気を導入させるため壁面や天井面方向への空圧工具使用作業においては床面へ空気ホースを接触させることもないため，現場を汚すことが無いという効果を得ることができる。
【０２７】いずれも生活者の居る空間での維持修繕作業に効果がある。
【０２８】また高所作業においても，作業者は空気ホースを意識することなく作業できるため安全性も同時に提供できる。
【図面の簡単な説明】
【０２９】
【符号の説明】
【０３０】１      圧力容器                    ２Ａ    圧力容器アッパーカバー２Ｂ    圧力容器ロアカバー          ３Ａ    接続防止ダイヤル３Ｂ    接続ガイドピン              ３Ｃ    接続誘導溝４      減圧弁                      ５      逆止弁６      伝達管                      ７      圧力調整弁８      圧力計                      ９      空気ホース１０    空圧工具
【図１】
2007075984.tif 000003
【手続補正書】
【提出日】平成17年11月10日(2005.11.10)
【手続補正２】
【補正対象書類名】明細書
【補正対象項目名】０２９
【補正方法】変更
【補正の内容】
【０２９】
【図１】  平面図